(57)【要約】【課題】打球の方向安定性の向上を図ることができるゴルフクラブのフェース板を提供する。【解決手段】ゴルフクラブヘッドの、中空形ヘッド本体の前板として設けられてその前面がボールの打撃面とされる板体であるフェース板であって、少なくとも一つの、前記打撃面のスウィートエリアに対応して設けられた第１の領域部材と、互いに連続して前記第１の領域部材を周りから囲んでいる上、その結晶方位が前記第１の領域部材の結晶方位と異なっている第２の領域部材とからなることを特徴とするゴルフクラブヘッドのフェース板を提供する。【選択図】図３
2008055063.tif 000002
【特許請求の範囲】
【請求項１】
ゴルフクラブヘッドの、中空形ヘッド本体の前板として設けられてその前面がボールの打撃面とされる板体であるフェース板であって、
少なくとも一つの、前記打撃面のスウィートエリアに対応して設けられた第１の領域部材と、
互いに連続して前記第１の領域部材を周りから囲んでいる上、その結晶方位が前記第１の領域部材の結晶方位と異なっている第２の領域部材とからなることを特徴とするゴルフクラブヘッドのフェース板。
【請求項２】
ゴルフクラブヘッドの、中空形ヘッド本体の前板として設けられてその前面がボールの打撃面とされる板体であるフェース板であって、
第１の金属材から造られたものであって、前記打撃面のスウィートエリアに対応して中央部となる第１の領域部材と、
第２の金属材から造られたものであって、前記第１の領域部材を周りから囲む上、その前面が前記第１の領域部材の前面と同一の面になるように、前記第１の領域部材と一体的に設置された第２の領域部材とからなることを特徴とするゴルフクラブヘッドのフェース板。
【請求項３】
ゴルフクラブヘッドの、中空形ヘッド本体の前板として設けられてその前面がボールの打撃面とされる板体であるフェース板であって、
第１の金属材から造られたものであって、その前面が前記打撃面のスウィートエリアに対応して中央部となる第１の領域部材と、
その結晶質相が前記第１の金属材と異なる結晶方位をもつ第２の金属材から造られたものであって、前記第１の領域部材を周りから囲む上、少なくともその前面が前記第１の領域部材の前面と同一の面になるように、前記第１の領域部材と一体的に設置された第２の領域部材とからなることを特徴とするゴルフクラブヘッドのフェース板。
【請求項４】
前記第１の金属材と前記第２の金属材は結晶質相だけが異なる同一種類の金属材であることを特徴とする請求項２または３に記載のゴルフクラブヘッドのフェース板。
【請求項５】
前記第１の金属材と前記第２の金属材は種類が異なる金属材であることを特徴とする請求項２または３に記載のゴルフクラブヘッドのフェース板。
【請求項６】
前記第１の金属材と前記第２の金属材はそれぞれ、ステンレス鋼、合金鋼、モリブデン、バナジウム、ジルコニウム、チタン、アルミニウム、マグネシウムの中から選ばれたことを特徴とする請求項２または３に記載のゴルフクラブヘッドのフェース板。
【請求項７】
前記第１の領域部材の背面は前記第２の領域部材の背面より内部へと突出してなったことを特徴とする請求項２または３に記載のゴルフクラブヘッドのフェース板。
【請求項８】
前記第２の領域部材は、更に、その背面の前記第１の領域部材と当接した内周縁から内部へと突出してなり、前記第１の領域部材の内部へと突出してなった部分を周りから囲んでいる環状突起を有することを特徴とする請求項７に記載のゴルフクラブヘッドのフェース板。
【発明の詳細な説明】
【技術分野】
【０００１】
本発明は、ゴルフクラブヘッドのフェース板に関し、特に打球の方向安定性が従来より簡単に制御できるゴルフクラブのフェース板に関する。
【背景技術】
【０００２】
ゴルフクラブヘッドには、図１と図２に示すように、その中空形ゴルフクラブヘッド本体１２の前板として設けられていて前面がボールの打撃面とされるフェース板１１がある。
【０００３】
このようなフェイス板１１は、従来から単一の金属材（例えばチタン、マグネシウム、アルミニウムなど）からなっていてフェース板１１全体がほぼ均質であるので、ゴルフクラブが振るわれてボールとインパクトしたや否やの瞬間に、インパクトによる反発力が忽ちインパクトを受ける中央領域などのいわゆるスウィートエリアＡから周りの周縁領域に広がって伝播していく。そのため、打撃力と反発力との間のバランスがスウィートエリアＡに極めて短時間に存在し、即ちボールのスウィートエリア面に滞在する時間が非常に短いので、ゴルファーは手応えなどに従う姿勢調整をするのにあまり間に合わず、打球の方向安定性を制御することがかなり難しい、という欠点がある。
【発明の開示】
【発明が解決しようとする課題】
【０００４】
上記に鑑みて、本発明は、打球の方向安定性が従来より簡単に制御できるゴルフクラブのフェース板を提供しようとすることを目的とする。
【課題を解決するための手段】
【０００５】
上記目的を達成するために、発明者は、研究を研究に重ねた結果、フェース板の打撃面を均質でないように構成すれば、前記反発力の伝播を遅滞させ、ボールのスウィートエリア面に滞在する時間をやや長くさせることに気付いた。
【０００６】
前記気付きに基づき、本発明は、ゴルフクラブヘッドの、中空形ヘッド本体の前板として設けられてその前面がボールの打撃面とされる板体であるフェース板であって、少なくとも一つの、前記打撃面のスウィートエリアに対応して設けられた第１の領域部材と、互いに連続して前記第１の領域部材を周りから囲んでいる上、その結晶方位が前記第１の領域部材の結晶方位と異なっている第２の領域部材とからなるゴルフクラブヘッドのフェース板を提供する。
【０００７】
具体的に言えば、本発明は、ゴルフクラブヘッドの、中空形ヘッド本体の前板として設けられてその前面がボールの打撃面とされる板体であるフェース板であって、第１の金属材から造られたものであって、前記打撃面のスウィートエリアに対応して中央部となる第１の領域部材と、第２の金属材から造られたものであって、前記第１の領域部材を周りから囲む上、その前面が前記第１の領域部材の前面と同一の面になるように、前記第１の領域部材と一体的に設置された第２の領域部材とからなるゴルフクラブヘッドのフェース板を提供する。
【０００８】
もっと詳しく言えば、本発明は、ゴルフクラブヘッドの、中空形ヘッド本体の前板として設けられてその前面がボールの打撃面とされる板体であるフェース板であって、第１の金属材から造られたものであって、その前面が前記打撃面のスウィートエリアとしての中央部となる第１の領域部材と、その結晶質相が前記第１の金属材と異なる結晶方位をもつ第２の金属材から造られたものであって、前記第１の領域部材を周りから囲む上、少なくともその前面が前記第１の領域部材の前面と同一の面になるように、前記第１の領域部材と一体的に設置された第２の領域部材とからなるゴルフクラブヘッドのフェース板を提供する。
【発明の効果】
【０００９】
前記本発明の構成によれば、フェース板におけるスウィートエリアに対応して設けられた第１の領域部材と、前記第１の領域部材を周りから囲んでいる第２の領域部材との結晶方位が異なっているため、フェース板がボールとインパクトし、インパクトによる反発力がインパクトを受ける第１の領域部材から第２の領域部材に広がって伝播する際、第２の領域部材の異なっている結晶方位による抵抗に阻まれて伝播スピードが落ち、打撃力と反発力との間のバランスがスウィートエリアにやや長時間に存在しているので、ゴルファーは手応えなどに従う姿勢調整をするのにより楽になり、打球の方向安定性を制御することが簡単になる。
【発明を実施するための最良の形態】
【００１０】
以下、この発明の好適な実施例を図面を参照して説明する。
図３は本発明の実施例１のゴルフクラブヘッドのフェース板を示す斜視図であり、図４は図３に示したゴルフクラブヘッドのフェース板の断面図である。
【００１１】
図４に示すように、本考案のゴルフクラブヘッドのフェース板３１は、中空形ヘッド本体３２の前板として、ヘッド本体３２に設けられた開口を覆うように取付けられて、その前面がボールの打撃面とされる板体である。
【００１２】
図３及び図４を併せて参照してみると、該フェース板３１は、打撃面のスウィートエリアとしての中央部となる第１の領域部材３１１と、第１の領域部材３１１を設置するために形成された設置開口３１０をその中央部に有していて、第１の領域部材３１１を周りから囲む上、その前面が第１の領域部材３１１の前面と同一の面、つまり打撃面になるように、第１の領域部材３１１と一体的に設置された第２の領域部材３１２とからなっている。
【００１３】
ここで、第１の領域部材３１１と第２の領域部材３１２は、種類が異なり結晶質相も異なる金属材により形成されいるが、結晶質相だけが異なる同一種類の金属材によって形成されていても良く、つまり、結晶質相の結晶方位が異なる材料によって形成されていれば良い。そして、第１の領域部材３１１と第２の領域部材３１２の形成に適する金属材は、ステンレス鋼、合金鋼、モリブデン、バナジウム、ジルコニウム、チタン、アルミニウム、マグネシウムなどが挙げられる。
【００１４】
図５と図６はそれぞれ本発明の実施例２と３のゴルフクラブヘッドのフェース板３１Ａ、３１Ｂの断面図である。
図５に示すように、ヘッド本体３２Ａに設けられた開口が実施例１のものと異なり、ヘッド本体３２Ａの下端部まで延伸している場合、本発明の実施例２のフェース板３１Ａを、それに対応して略Ｌ字形の断面になるように形成することができる。従って、本実施例のフェース板３１Ａを構成する第２の領域部材３１２Ａもフェース板３１Ａの構成に対応して形成されている。ちなみに、この実施例における第１の領域部材３１１Ａは第１の実施例と同様に形成されている。
【００１５】
図６に示すように、ヘッド本体３２Ｂに設けられた開口が実施例１のものと異なり、ヘッド本体３２Ｂの上、下端部まで延伸している場合、本発明の実施例３のフェース板３１Ｂを、それに対応するして略Ｌ字形の断面になるように形成することができる。従って、本実施例のフェース板３１Ｂを構成する第２の領域部材３１２Ｂもフェース板３１Ｂの構成に対応して形成されている。ちなみに、この実施例における第１の領域部材３１１Ｂは第１の実施例と同様に形成されている。
【００１６】
この実施例２と３において、第１の領域部材３１１Ａ、３１１Ｂと第２の領域部材３１２Ａ、３１２Ｂとを形成する材料の条件は、すべて実施例１と同じ、即ち、結晶質相の結晶方位が異なる材料によって形成されていれば良い。そして、第１の領域部材３１１と第２の領域部材３１２の形成に適する金属材は、ステンレス鋼、合金鋼、モリブデン、バナジウム、ジルコニウム、チタン、アルミニウム、マグネシウムなどが挙げられる。
【００１７】
図７と図８はそれぞれ本発明の実施例４と５のゴルフクラブヘッドのフェース板３１Ｃ、３１Ｄの断面図である。
図７に示すように、本発明の実施例４において、ヘッド本体３２Ｃに設けられた開口は実施例１と同様で、第２の領域部材３１２Ｃも実施例１における第２の領域部材３１２と同様に形成されている。実施例１と唯一違うのは、この実施例における第１の領域部材３１１Ｃは実施例１における第１の領域部材３１１より厚く形成されており、その背面は第２の領域部材３１２Ｃの背面３１５Ｄより内部へと突出している。
【００１８】
図８に示すように、本発明の実施例５は実施例４とほぼ同様な構成を有しているが、唯一違うところは、この実施例における第２の領域部材３１２Ｄには、その背面３１５Ｄの第１の領域部材３１１Ｄと当接した内周縁からヘッド本体３２Ｄの内部へと突出して、第１の領域部材３１１Ｄの内部へと突出している部分を周りから囲んでいる環状突起３１３を更に有しているところである。
【００１９】
この実施例３と４において、第１の領域部材３１１Ｃ、３１１Ｄと第２の領域部材３１２Ｃ、３１２Ｄとを形成する材料の条件も、すべて実施例１と同じである。即ち、結晶質相の結晶方位が異なる材料によって形成されていれば良い。そして、第１の領域部材３１１と第２の領域部材３１２の形成に適する金属材は、ステンレス鋼、合金鋼、モリブデン、バナジウム、ジルコニウム、チタン、アルミニウム、マグネシウムなどが挙げられる。
【００２０】
前記構成により、本考案のゴルフクラブヘッドのフェース板は、異なる結晶方位をもつ第１と第２の領域部材により構成されたので、ボールによるフェース板にインパクトの際に、インパクト時のエネルギーの伝達が異なる結晶方位からの抵抗力にあって、伝達スピードを遅らせることができるので、ボールがフェース板に滞留時間が長くなり、打球の方向安定性の向上を図ることができる。
【００２１】
以上、本発明の好適な実施形態について説明したが、本発明は前記実施形態に限定して狭義に解釈されるものではなく、即ち本発明の精神の範囲内において種々の変形や変更が可能である。
【産業上の利用可能性】
【００２２】
前記構成のゴルフクラブヘッドのフェース板は、フェース板におけるスウィートエリアに対応して設けられる第１の領域部材と、前記第２の領域部材を周りから囲んでいる第２の領域部材との結晶方位が異なるので、ボールによるフェース板の中央領域にインパクトの際に、インパクト時のエネルギーが第１の領域部材から第２の領域部材に広がって伝達する時、異なる結晶方位からの抵抗力にあうので、伝達スピードを落とすことができ、ボールがフェース板に滞留時間が長くなるので、初心者からベテランまでのゴルファーに、方向安定性の良いボールを打ち易くさせ、ゴルフをもっと楽しませることができる。
【図面の簡単な説明】
【００２３】
【図１】従来のゴルフクラブヘッドを示す斜視図。
【図２】図１に示したゴルフクラブヘッドの断面図。
【図３】本発明の実施例１のゴルフクラブヘッドのフェース板を示す斜視図。
【図４】図３に示したゴルフクラブヘッドのフェース板の断面図。
【図５】本発明の実施例２のゴルフクラブヘッドのフェース板を示す断面図。
【図６】本考案の実施例３のゴルフクラブヘッドのフェース板を示す断面図。
【図７】本考案の実施例４のゴルフクラブヘッドのフェース板を示す断面図。
【図８】本考案の実施例５のゴルフクラブヘッドのフェース板を示す断面図。
【符号の説明】
【００２４】
３１、３１Ａ、３１Ｂ、３１Ｃ、３１Ｄ  フェース板
３２、３２Ａ、３２Ｂ、３２Ｃ、３２Ｄ  ヘッド本体
３１０  設置開口
３１１、３１１Ａ、３１１Ｂ、３１１Ｃ、３１１Ｄ  第１の領域部材
３１２、３１２Ａ、３１２Ｂ、３１２Ｃ、３１２Ｄ  第２の領域部材
３１３  環状突起
３１５Ｃ、３１５Ｄ  背面
【図１】
2008055063.tif 000003
【図２】
2008055063.tif 000004
【図３】
2008055063.tif 000005
【図４】
2008055063.tif 000006
【図５】
2008055063.tif 000007
【図６】
2008055063.tif 000008
【図７】
2008055063.tif 000009
【図８】
2008055063.tif 000010